(57)【要約】【課題】機器本体の前面開口部を開閉するフロントパネル構造において、前面開口部を閉じた状態で上部パネルと下部パネルの間の隙間を狭くしつつ、前面開口部を開いた状態で上部パネルを大きく下方に沈みこませることが可能な技術を提供する。【解決手段】本明細書は、機器本体の前面開口部を開閉するフロントパネル構造を開示する。そのフロントパネル構造は、全閉位置と全開位置の間で水平方向の回動軸周りに回動する上部パネルと、上部パネルの下方に配置された下部パネルを備えている。そのフロントパネル構造では、上部パネルの回動軸が、上部パネルの前面の下端よりも下方に位置している。そのフロントパネル構造では、上部パネルの回動に連動して、下部パネルが上下方向へスライドする。【選択図】図３
2015058276.tif 000002
【特許請求の範囲】
【請求項１】
機器本体の前面開口部を開閉するフロントパネル構造であって、
全閉位置と全開位置の間で水平方向の回動軸周りに回動する上部パネルと、
上部パネルの下方に配置された下部パネルを備えており、
上部パネルの回動軸が、上部パネルの前面の下端よりも下方に位置しており、
上部パネルの回動に連動して、下部パネルが上下方向へスライドする、フロントパネル構造。
【請求項２】
上部パネルの単位回動角度あたりの下部パネルのスライド量が、上部パネルの回動角度に応じて変化する、請求項１のフロントパネル構造。
【請求項３】
上部パネルに固定された上部パネル軸と、
下部パネルに固定された下部パネル軸と、
機器本体に固定された機器本体軸と、
機器本体軸が係合する第１係合孔と、上部パネル軸が係合する第２係合孔と、下部パネル軸が係合する第３係合孔を有するリンク部材を備える、請求項１または２のフロントパネル構造。
【請求項４】
リンク部材の第１係合孔が、上部パネルが全閉位置から全開位置まで回動する際に機器本体軸が摺動する案内縁から機器本体軸が離反可能な余裕を有している、請求項３のフロントパネル構造。
【発明の詳細な説明】
【技術分野】
【０００１】
本発明は、フロントパネル構造に関する。
【背景技術】
【０００２】
特許文献１に、機器本体の前面開口部を開閉するフロントパネル構造が開示されている。このフロントパネル構造は、全閉位置と全開位置の間で水平方向の回動軸周りに回動する上部パネルと、上部パネルの下方に配置された下部パネルを備えている。
【先行技術文献】
【特許文献】
【０００３】
【特許文献１】実開２０００−２１０２４２号公報
【発明の概要】
【発明が解決しようとする課題】
【０００４】
上記のようなフロントパネル構造においては、上部パネルを全開位置まで回動して前面開口部を開いた状態では、上部パネルが大きく下方に沈み込んだほうが、前面開口部を大きく使用することができ好ましい。しかしながら、前面開口部を開いたときに上部パネルを大きく沈み込ませる構成とする場合、上部パネルを回動させるときの上部パネルと下部パネルの干渉が問題となる。上部パネルと下部パネルの干渉を避けるために、上部パネルと下部パネルの間の隙間を大きくしておくと、上部パネルを全閉位置にして前面開口部を閉じた状態における美観が損なわれてしまう。上部パネルを全閉位置にして前面開口部を閉じた状態では、上部パネルと下部パネルの隙間が小さいほうが、美観に優れていて好ましい。
【０００５】
本明細書は、上記の課題を解決する技術を提供する。本明細書では、機器本体の前面開口部を開閉するフロントパネル構造において、前面開口部を閉じた状態で上部パネルと下部パネルの間の隙間を狭くしつつ、前面開口部を開いた状態で上部パネルを大きく下方に沈みこませることが可能な技術を提供する。
【課題を解決するための手段】
【０００６】
本明細書は、機器本体の前面開口部を開閉するフロントパネル構造を開示する。そのフロントパネル構造は、全閉位置と全開位置の間で水平方向の回動軸周りに回動する上部パネルと、上部パネルの下方に配置された下部パネルを備えている。そのフロントパネル構造では、上部パネルの回動軸が、上部パネルの前面の下端よりも下方に位置している。そのフロントパネル構造では、上部パネルの回動に連動して、下部パネルが上下方向へスライドする。
【０００７】
上記のフロントパネル構造によれば、上部パネルの回動軸が上部パネルの前面の下端よりも下方に位置している。このため、上部パネルを全開位置まで回動させたときに、上部パネルを大きく下方に沈み込ませて、前面開口部を大きく使用することができる。このように上部パネルを回動させて大きく沈み込ませる構成とする場合、上部パネルを回動させるときの上部パネルと下部パネルの干渉が問題となる。上記のフロントパネル構造によれば、上部パネルの回動と連動して下部パネルが上下方向にスライドするため、上部パネルを全閉位置から全開位置に向けて回動させるときに、上部パネルの回動に連動して下部パネルを下方へスライドさせることができる。このため、上部パネルが全閉位置にあるときの上部パネルと下部パネルの間の隙間を小さくしても、上部パネルの回動時に上部パネルと下部パネルが干渉することを防ぐことができる。上記のフロントパネル構造によれば、前面開口部を閉じた状態で上部パネルと下部パネルの間の隙間を狭くしつつ、前面開口部を開いた状態で上部パネルを大きく下方に沈みこませることができる。
【０００８】
上記のフロントパネル構造は、上部パネルの単位回動角度あたりの下部パネルのスライド量が、上部パネルの回動角度に応じて変化するように構成することができる。
【０００９】
上部パネルの回動に連動して下部パネルを下方にスライドさせる場合、下部パネルが下がり過ぎてしまうと、下部パネルの下方に存在する利用者の足の甲や障害物などに下部パネルの下端が衝突してしまうおそれがある。上記のフロントパネル構造によれば、上部パネルの全閉位置からの回動角度が小さいときに下部パネルの下方へのスライド量を大きくして、上部パネルと下部パネルの干渉を防ぎつつ、上部パネルの全閉位置からの回動角度が大きいときに下部パネルの下方へのスライド量を小さくして、下部パネルが下方に下がり過ぎて利用者の足の甲や障害物に衝突してしまうことを防ぐことができる。
【００１０】
上記のフロントパネル構造は、上部パネルに固定された上部パネル軸と、下部パネルに固定された下部パネル軸と、機器本体に固定された機器本体軸と、機器本体軸が係合する第１係合孔と、上部パネル軸が係合する第２係合孔と、下部パネル軸が係合する第３係合孔を有するリンク部材を備えるように構成することができる。
【００１１】
上記のフロントパネル構造によれば、簡素な構成によって、上部パネルの回動に連動して下部パネルを上下方向のスライドさせることができる。
【００１２】
上記のフロントパネル構造は、リンク部材の第１係合孔が、上部パネルが全閉位置から全開位置まで回動する際に機器本体軸が摺動する案内縁から機器本体軸が離反可能な余裕を有しているように構成することができる。
【００１３】
上記のフロントパネル構造によれば、上部パネルの回動に連動して下部パネルが下方にスライドしているときに、下部パネルの下端が利用者の足の甲や障害物に衝突してしまった場合に、機器本体軸が案内縁から離反して、下部パネルの下方への移動が停止する。上記のフロントパネル構造によれば、安全性をより向上することができる。
【発明の効果】
【００１４】
本明細書が開示する技術によれば、機器本体の前面開口部を開閉するフロントパネル構造において、前面開口部を閉じた状態で上部パネルと下部パネルの間の隙間を狭くしつつ、前面開口部を開いた状態で上部パネルを大きく下方に沈みこませることができる。
【図面の簡単な説明】
【００１５】
【図１】実施例１のフロントパネル構造２を備える食器洗浄機４の外観を示す図。
【図２】実施例１のフロントパネル構造２において上部パネル６が全閉位置にある場合の構成を示す側面図。
【図３】実施例１のフロントパネル構造２において上部パネル６が全閉位置と全開位置の間にある場合の構成を示す側面図。
【図４】実施例１のフロントパネル構造２において上部パネル６が全開位置にある場合の構成を示す側面図。
【図５】実施例１のフロントパネル構造２において上部パネル６が全閉位置にある場合の要部の構成を拡大して示す側面図。
【図６】実施例１のフロントパネル構造２において上部パネル６が全閉位置と全開位置の間にある場合の要部の構成を拡大して示す側面図。
【図７】実施例１のフロントパネル構造２において上部パネル６が全開位置にある場合の要部の構成を拡大して示す側面図。
【図８】実施例２のフロントパネル構造４２において上部パネル６が全閉位置にある場合の要部の構成を拡大して示す側面図。
【図９】実施例２のフロントパネル構造４２において上部パネル６が全閉位置と全開位置の間にある場合の要部の構成を拡大して示す側面図。
【図１０】実施例２のフロントパネル構造４２において上部パネル６が全閉位置と全開位置の間にある場合の要部の構成を拡大して示す側面図。
【図１１】実施例２のフロントパネル構造４２において上部パネル６が全開位置にある場合の要部の構成を拡大して示す側面図。
【図１２】実施例３のフロントパネル構造５２において上部パネル６が全閉位置にある場合の要部の構成を拡大して示す側面図。
【図１３】実施例３のフロントパネル構造５２において上部パネル６が全閉位置と全開位置の間にある場合の要部の構成を拡大して示す側面図。
【図１４】実施例３のフロントパネル構造５２において上部パネル６が全閉位置と全開位置の間にある場合の要部の構成を拡大して示す側面図。
【図１５】実施例３のフロントパネル構造５２において上部パネル６が全開位置にある場合の要部の構成を拡大して示す側面図。
【図１６】実施例４のフロントパネル構造６２において上部パネル６が全閉位置にある場合の要部の構成を拡大して示す側面図。
【図１７】実施例４のフロントパネル構造６２において上部パネル６が全閉位置と全開位置の間にある場合の要部の構成を拡大して示す側面図。
【図１８】実施例４のフロントパネル構造６２において上部パネル６が全開位置にある場合の要部の構成を拡大して示す側面図。
【発明を実施するための形態】
【００１６】
（実施例１）
本発明の実施例に係るフロントパネル構造２について、図面を参照しながら説明する。図１（ａ）に示すように、本実施例のフロントパネル構造２は、食器洗浄機４の前面に備えられている。食器洗浄機４は、キッチンカウンタＫの下にビルトインされ、システムキッチンの一部を構成している。食器洗浄機４は、いわゆるフロントオープンタイプの食器洗浄機であり、図１（ｂ）に示すように、上部パネル６を手前に開いて倒し、機器本体８の内部に収容された食器かご９を引き出すことで、食器を出し入れすることができる。図１（ａ）に示すように、上部パネル６の上端には操作パネル１０が設けられており、その下方には化粧板１２が取り付けられている。上部パネル６の下方には下部パネル１４が配置されている。下部パネル１４は、化粧板１５を備えている。上部パネル６の化粧板１２や下部パネル１４の化粧板１５は、キッチンカウンタＫの下方に配置された収納部Ｌ１、Ｌ２、Ｍなどのシステムキッチン構成物の表面材と同様の色彩、図柄で塗装され、表面仕上げがされている。従って、食器洗浄機４をビルトインしてシステムキッチンを構成したときに、周囲のシステムキッチン構成物との統一感が得られ、美麗な外観のシステムキッチンに構成することができる。
【００１７】
図２から図７は、フロントパネル構造２の開閉動作の様子を示している。上部パネル６の両側端にはアーム１６が取り付けられている。機器本体８は、両側端において外壁（図示せず）と内壁１８の二重壁構造を有しており、アーム１６は外壁と内壁１８の間に入り込むように配置されている。アーム１６は、水平方向の回動軸Ａを介して、機器本体８の内壁１８に回動可能に連結されている。回動軸Ａは、上部パネル６の前面の下端（すなわち化粧板１２の下端）よりも下方であり、かつ機器本体８の前面開口部よりも前方に配置されている。
【００１８】
下部パネル１４は、化粧板１５を背面から支持する支持部材１７を備えている。支持部材１７は、機器本体８の内壁１８に、上下方向にスライド可能に支持されている。
【００１９】
リンク部材２０は、機器本体８の外壁と内壁１８の間に配置されている。図５から図７に示すように、リンク部材２０は板状の部材であって、機器本体８の内壁１８から突出する機器本体軸２２が係合する第１係合孔２４と、上部パネル６のアーム１６から突出する上部パネル軸２６が係合する第２係合孔２８と、下部パネル１４の支持部材１７から突出する下部パネル軸３０が係合する第３係合孔３２を備えている。図５に示すように、上部パネル６が全閉位置にある状態では、上部パネル６の上部パネル軸２６と、機器本体８の機器本体軸２２と、下部パネル１４の下部パネル軸３０は直線状に並んで配置されている。
【００２０】
第１係合孔２４は、第１部分２４ａと、第２部分２４ｂを備えている。第１部分２４ａは、第２係合孔２８と第３係合孔３２を結ぶ直線に沿って伸びる長孔形状に形成されている。第２部分２４ｂは、第１部分２４ａの第２係合孔２８に近い側の端部から、第３係合孔３２を中心とする円弧状に伸びる長孔形状に形成されている。第２係合孔２８は、第３係合孔３２からの直線に沿って伸びる長孔形状に形成されている。第３係合孔３２は、円孔形状に形成されている。図５に示すように、上部パネル６が全閉位置にある状態では、機器本体軸２２は第１係合孔２４の第１部分２４ａの第３係合孔３２に近い側の端部に位置しており、上部パネル軸２６は第２係合孔２８の第１係合孔２４に近い側の端部に位置している。
【００２１】
上部パネル６を図２や図５に示す全閉位置から手前に回動させると、上部パネル軸２６と機器本体軸２２によってリンク部材２０が図の時計回りに回転させられ、これにより下部パネル１４が下方に押し下げられる。機器本体軸２２が第１係合孔２４の第１部分２４ａを移動している間は、上部パネル６の回動動作に連動して下部パネル１４が下方にスライド動作する。そして、図３や図６に示すように、機器本体軸２２が第１係合孔２４の第１部分２４ａから第２部分２４ｂへ移動した後、さらに上部パネル６を手前に回動させると、リンク部材２０は図の時計回りに回転するものの、下部パネル１４には下方への力が作用しなくなり、下部パネル１４の上下方向の位置は変化しなくなる。さらに上部パネル６を手前に回動させると、図４や図７に示すように、上部パネル６は全開位置まで移動する。
【００２２】
上部パネル６を図４や図７に示す全開位置から図２や図５に示す全閉位置まで戻す場合も、機器本体軸２２が第１係合孔２４の第２部分２４ｂを移動している間は、上部パネル６を回動させても下部パネル１４の上下方向の位置は変化しない。その後、図３や図６に示すように、機器本体軸２２が第１係合孔２４の第２部分２４ｂから第１部分２４ａへ移動すると、上部パネル６の回動動作に起因して下部パネル１４は上方へスライド動作する。さらに上部パネル６を回動させると、図２や図５に示すように、上部パネル６は全閉位置まで移動し、それに伴って下部パネル１４も元の位置まで移動する。
【００２３】
以上のように、本実施例のフロントパネル構造２によれば、上部パネル６の前面の下端よりも下方に位置する回動軸Ａ周りに上部パネル６が回動するため、図４や図７に示すように、上部パネル６が全開位置まで移動したときに、上部パネル６は大きく下方に沈み込む。従って、機器本体８の開口部を大きく使用することができる。例えば、本実施例のように、フロントパネル構造２をフロントオープン型の食器洗浄機４に適用する場合には、全開位置まで移動した上部パネル６の上方で前後にスライド移動する食器かご９を大型化して、食器かご９へ収容可能な食器の量を増やしたり、サイズの大きな食器を収容したりすることができる。
【００２４】
また、本実施例のフロントパネル構造２によれば、上部パネル６の回動動作に連動して下部パネル１４が上下にスライド動作する。このため、図２や図５に示すように、上部パネル６を全閉位置にしたときの上部パネル６と下部パネル１４の間の隙間を小さく形成した場合でも、上部パネル６を回動させたときに上部パネル６と下部パネル１４が干渉することを防ぐことができる。このため、上部パネル６が全閉状態にあるときの上部パネル６と下部パネル１４の間の隙間を小さくすることで、美観をより向上することができる。
【００２５】
さらに、本実施例のフロントパネル構造２によれば、全閉位置からの上部パネル６の回動角度が小さい間（すなわち、機器本体軸２２が第１係合孔２４の第１部分２４ａを移動している間）は、上部パネル６の回動動作に伴って下部パネル１４が下方にスライド動作するが、全閉位置からの上部パネル６の回動角度が大きくなると（すなわち、機器本体軸２２が第１係合孔２４の第２部分２４ｂを移動するようになると）、上部パネル６を回動させても下部パネル１４の上下方向の位置は変化しなくなる。このような構成とすることによって、下部パネル１４が下方へスライドし過ぎて、下部パネル１４の下端が利用者の足の甲や障害物などに衝突してしまうことを防ぐことができる。
【００２６】
（実施例２）
本実施例のフロントパネル構造４２は、実施例１のフロントパネル構造２とほぼ同じ構成を有しており、リンク部材２０に形成された第１係合孔４４の形状が実施例１とは相違している。
【００２７】
本実施例では、第１係合孔４４は、第１部分４４ａと、第２部分４４ｂと、第３部分４４ｃを備えている。第１部分４４ａは、第２係合孔２８と第３係合孔３２を結ぶ直線に沿って伸びる長孔形状に形成されている。第３部分４４ｃは、第１部分４４ａと直交する方向に沿って伸びる長孔形状に形成されている。第２部分４４ｂは、第１部分４４ａの第３部分４４ｃに近い側の端部と、第３部分４４ｃの第１部分４４ａに近い側の端部を接続する円弧状の長孔形状に形成されている。
【００２８】
本実施例において、上部パネル６を図８に示す全閉位置から手前に回動させると、上部パネル軸２６と機器本体軸２２によってリンク部材２０が図の時計回りに回転させられ、これにより下部パネル１４が下方に押し下げられる。機器本体軸２２が第１係合孔４４の第１部分４４ａを移動している間は、上部パネル６の回動動作に連動して、下部パネル１４が下方に大きくスライド動作する。そして、図９に示すように、機器本体軸２２が第１係合孔２４の第１部分４４ａから第２部分４４ｂへ移動した後、さらに上部パネル６を手前に回動させると、上部パネル６の回動動作に連動して、引き続き下部パネル１４が下方にスライド動作するものの、そのスライド量は機器本体軸２２が第１部分４４ａを移動しているときに比べて、小さいものとなる。そして、図１０に示すように、機器本体軸２２が第１係合孔２４の第２部分４４ｂから第３部分４４ｃへ移動した後、さらに上部パネル６を手前に回動させると、上部パネル６の回動動作に連動して、引き続き下部パネル１４が下方にスライド動作するものの、そのスライド量は機器本体軸２２が第２部分４４ｂを移動しているときに比べて、さらに小さいものとなる。さらに上部パネル６を手前に回動させると、図１１に示すように、上部パネル６は全開位置まで移動する。
【００２９】
本実施例のフロントパネル構造４２によれば、上部パネル６の単位回動角度あたりの下部パネル１４のスライド量が、上部パネル６の回動角度に応じて変化する。全閉位置からの上部パネル６の回動角度が小さいとき（すなわち、機器本体軸２２が第１部分４４ａを移動しているとき）は、上部パネル６の単位回動角度あたりの下部パネル１４のスライド量は大きい。全閉位置からの上部パネル６の回動角度が大きくなると（すなわち、機器本体軸２２が第２部分４４ｂを移動するようになると）、上部パネル６の単位回動角度あたりの下部パネル１４のスライド量は小さくなる。全閉位置からの上部パネル６の回動角度がさらに大きくなると（すなわち、機器本体軸２２が第３部分４４ｃを移動するようになると）、上部パネル６の単位回動角度あたりの下部パネル１４のスライド量はさらに小さくなる。このような構成とすることによって、下部パネル１４が下方へスライドし過ぎて、下部パネル１４の下端が利用者の足の甲や障害物などに衝突してしまうことを防ぐことができる。
【００３０】
（実施例３）
本実施例のフロントパネル構造５２は、実施例２のフロントパネル構造４２とほぼ同じ構成を有しており、リンク部材５４の形状と、リンク部材５４に形成された第１係合孔５６および第２係合孔５８の形状のみが実施例２とは相違している。
【００３１】
図１２から図１５に示すように、リンク部材５４の第１係合孔５６は、上部パネル６が全閉位置から全開位置まで回動する際の機器本体軸２２の軌道を含む、大きめの孔形状に形成されている。第１係合孔５６は、上部パネル６が全閉位置から全開位置まで回動する際に機器本体軸２２が摺動する案内縁５６ａを有している。案内縁５６ａは、上部パネル６が全閉位置から全開位置まで回動する際に、下部パネル軸３０と係合する第３係合孔３２からの距離が、最初は増加し、その後は減少し、その後は再び増加する形状に形成されている。また、第１係合孔５６は、上部パネル６が全閉位置にあるときの機器本体軸２２の位置よりも、さらに前方側（第３係合孔３２側）に広がった形状を有している。
【００３２】
第２係合孔５８は、第３係合孔３２からの直線に沿って伸びる長孔形状に形成されている。また、第２係合孔５８は、上部パネル６が全閉位置にあるときの機器本体軸２２の位置よりも、さらに前方側（第３係合孔３２側）に、傘状に開いた上部パネル軸２６が抜け出すことが可能な大径部５８ａを備えている。
【００３３】
本実施例において、上部パネル６を図１２に示す全閉位置から手前に回動させると、図１３に示すように、上部パネル軸２６と機器本体軸２２によってリンク部材５４が図の時計回りに回転させられる。この際に、案内縁５６ａによって、機器本体軸２２と下部パネル軸３０の距離が増大していくため、上部パネル６の回動に伴って下部パネル１４が下方にスライド移動する。その後、図１４に示すように、案内縁５６ａによって、機器本体軸２２と下部パネル軸３０の距離が減少していくようになると、上部パネル６の回動に伴って下部パネル１４が上方へスライド移動する。その後、図１５に示すように、案内縁５６ａによって、機器本体軸２２と下部パネル軸３０の距離が再び増加していくようになると、上部パネル６の回動に伴って下部パネル１４が下方へスライド移動する。
【００３４】
本実施例のフロントパネル構造５２によれば、上部パネル６の単位回動角度あたりの下部パネル１４のスライド量が、上部パネル６の回動角度に応じて変化する。全閉位置からの上部パネル６の回動角度が小さいときは、上部パネル６の回動動作に伴って下部パネル１４は下方へスライド動作する。その後、全閉位置からの上部パネル６の回動角度が大きくなると、上部パネル６の回動動作に伴って下部パネル１４は上方へスライド動作する。その後、全閉位置からの上部パネル６の回動角度がさらに大きくなると、上部パネル６の回動動作に伴って下部パネル１４は再び下方へスライド動作する。このような構成とすることによって、下部パネル１４が下方へスライドし過ぎて、下部パネル１４の下端が利用者の足の甲や障害物などに衝突してしまうことを防ぐことができる。
【００３５】
また、本実施例のフロントパネル構造５２では、機器本体軸２２と係合する第１係合孔５６が大きめの孔形状に形成されており、上部パネル６が全閉位置から全開位置まで回動する際に機器本体軸２２が摺動する案内縁５６ａから機器本体軸２２が離反可能な余裕を有している。このような構成とすることによって、上部パネル６の回動動作に伴って下部パネル１４が下方へスライド動作しているときに、下部パネル１４の下端が利用者の足の甲や障害物などに衝突してしまった場合に、機器本体軸２２が第１係合孔５６の内部で案内縁５６ａから離れて移動し、下部パネル１４がそれ以上下方へスライド動作することを防ぐことができる。安全性をより向上することができる。
【００３６】
さらに、本実施例のフロントパネル構造５２によれば、機器本体８の前方からのリンク部材５４の着脱を容易に行うことができる。図１２に示すように上部パネル６が全閉位置にある状態において、機器本体８の前方から、下部パネル１４の化粧板１５と支持部材１７を取り外し、下部パネル軸３０を第３係合孔３２から取り外した後、リンク部材５４を機器本体８の後方へ向けてスライドさせることで、第１係合孔５６から機器本体軸２２を抜け出させ、かつ第２係合孔５８から上部パネル軸２６を抜け出させて、リンク部材５４を取り外すことができる。本実施例のフロントパネル構造５２によれば、リンク部材５４の交換やメンテナンスを容易に行うことができる。
【００３７】
（実施例４）
図１６から図１８に示すように、本実施例のフロントパネル構造６２は、実施例１−実施例３のようなリンク部材を備えておらず、代わりに、上部パネル６に固定された案内部材６４と、下部パネル１４に固定された突出部材６６を備えている。本実施例のフロントパネル構造６２では、下部パネル１４は付勢手段（図示せず）によって機器本体８に対して上方向に付勢されており、突出部材６６が案内部材６４に当接している。
【００３８】
上部パネル６を図１６に示す全閉位置から手前に回動させると、図１７に示すように、上部パネル６の回動に伴って案内部材６４が突出部材６６を押し下げることで、下部パネル１４は下方にスライド移動する。さらに上部パネル６を手前に回動させると、図１８に示すように、上部パネル６の回動に伴って下部パネル１４がさらに下方へスライド移動し、上部パネル６は全開位置へと移動する。
【００３９】
上部パネル６を図１８に示す全開位置から図１６に示す全閉位置まで戻す場合、上部パネル６の回動に伴って付勢手段により下部パネル１４が上方へ押し上げられて、案内部材６４と突出部材６６によって規制される位置まで下部パネル１４が上方へスライド移動する。図１６に示すように、上部パネル６が全閉位置まで移動すると、それに伴って下部パネル１４も元の位置まで移動する。
【００４０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００４１】
２  フロントパネル構造
４  食器洗浄機
６  上部パネル
８  機器本体
１０  操作パネル
１２  化粧板
１４  下部パネル
１５  化粧板
１６  アーム
１７  支持部材
１８  内壁
２０  リンク部材
２２  機器本体軸
２４  第１係合孔
２４ａ  第１部分
２４ｂ  第２部分
２６  上部パネル軸
２８  第２係合孔
３０  下部パネル軸
３２  第３係合孔
４２  フロントパネル構造
４４  第１係合孔
４４ａ  第１部分
４４ｂ  第２部分
４４ｃ  第３部分
５２  フロントパネル構造
５４  リンク部材
５６  第１係合孔
５６ａ  案内縁
５８  第２係合孔
５８ａ  大径部
６２  フロントパネル構造
６４  案内部材
６６  突出部材
【図１】
2015058276.tif 000003
【図２】
2015058276.tif 000004
【図３】
2015058276.tif 000005
【図４】
2015058276.tif 000006
【図５】
2015058276.tif 000007
【図６】
2015058276.tif 000008
【図７】
2015058276.tif 000009
【図８】
2015058276.tif 000010
【図９】
2015058276.tif 000011
【図１０】
2015058276.tif 000012
【図１１】
2015058276.tif 000013
【図１２】
2015058276.tif 000014
【図１３】
2015058276.tif 000015
【図１４】
2015058276.tif 000016
【図１５】
2015058276.tif 000017
【図１６】
2015058276.tif 000018
【図１７】
2015058276.tif 000019
【図１８】
2015058276.tif 000020